(57)【要約】　　　（修正有）【課題】ファイブインワンメモリーカードアダプタの提供。【解決手段】カートリッジ１０に三つのスロット１１，１２，１３が設けられ、各スロット部分に各メモリカードの回路接点と対応し接続できる接触端子２０が固定され、接触端子の電気装置との電子回路の連結により、該電気装置に同時に三種類の異なる形式のメモリーカードの挿入が可能となり、また、三つのスロット中の第１スロット１１がＣＦ、ＭＤメモリーカードの挿入に供され、第２スロット１２が、ＳＤ、ＭＭＣメモリーカードの挿入に供され、第３スロット１３がＭＳ（登録商標）の挿入に供され、ゆえに電気装置を、少なくとも５種類のメモリーカードに対する読み書き可能とする。【選択図】　　　図２
0003100313.tif 000002
【実用新案登録請求の範囲】
【請求項１】
　プラスチック製のカートリッジを主体とし、該カートリッジに下層に位置する第１スロットと、該第１スロットの上方に平行に設置された第２スロット及び第３スロットを具え、
　該第１スロットが寸法規格のほぼ同じ第１及び第２の種類のメモリーカードの共用とされ、そのスロットの内縁に第１及び第２の種類のメモリーカードの長さと幅及び厚さに合わせてメモリーカードの誤挿入を防止するための溝部が設けられ、
　該第２スロットが第１及び第２の種類のメモリーカードと寸法規格の異なる第３及び第４の種類のメモリーカードの共用とされ、そのスロットの内縁に第３及び第４の種類のメモリーカードの長さと幅及び厚さに合わせてメモリーカードの誤挿入を防止するための溝部が設けられ、
　該第３スロットが第１、第２及び第３、第４の種類のメモリーカードと寸法規格の異なる第５のメモリーカードの挿入に供され、
　各スロットにメモリーカードの回路設定に対応し接続可能な接触端子が設けられ、各接触端子がカートリッジの底側及び後側に向けて延伸され、接触端子と電気装置の電子回路の接続により、電気装置が少なくとも５種類のメモリーカードに対して読み書きが行なえると共に、三種類の異なる規格のメモリーカードの挿入可能とされたことを特徴とする、ファイブインワンメモリーカードアダプタ。
【請求項２】
　請求項１記載のファイブインワンメモリーカードアダプタにおいて、カートリッジの上方を金属カバーが被覆し、該金属カバーに接地手段が電子回路が組み合わされて接地が形成されることを特徴とする、ファイブインワンメモリーカードアダプタ。
【請求項３】
　請求項１記載のファイブインワンメモリーカードアダプタにおいて、カートリッジの側辺、上側にメモリーカードに対する位置決めと接続を形成する接触弾性片が設けられたことを特徴とする、ファイブインワンメモリーカードアダプタ。
【考案の詳細な説明】
【技術分野】
【０００１】
　本考案はファイブインワンメモリーカードアダプタに係り、特に、同一のメモリーカードアダプタにより、電気装置を、ＣＦカード（ＣｏｍｐａｃｔＦｌａｓｈ　Ｃａｒｄ）、ＭＤカード（Ｍｉｃｒｏ　Ｄｒｉｖｅ　Ｃａｒｄ）、ＭＭＣメモリーカード（ＭｕｌｔｉＭｅｄｉａ　Ｃａｒｄ）、ＭＳメモリーカード（Ｍｅｍｏｒｙ　Ｓｔｉｃｋ　Ｃａｒｄ）（登録商標）、ＳＤメモリーカード（Ｓｅｃｕｒｅ　Ｄｉｇｉｔａｌ　Ｃａｒｄ）等の五種類の異なる規格のメモリーカードに対するデータの読み取り、交換、伝送可能とする、ファイブインワンメモリーカードアダプタに関する。
【背景技術】
【０００２】
　３Ｃデジタル電気装置例えばノートブック型コンピュータ、デジタルカメラ、デジタルビデオカメラ、ＰＤＡ等の電気装置は、装置主体に必要な周辺装置の入出力ポート（例えばＵＳＢ　ＰＯＲＴ）が設置されているほか、一部の電気装置には別に専属規格のコネクタが内蔵され、このコネクタのスロットがフラッシュメモリーカードの挿入、使用に供されることで、データの保存量及び、データの交換、読み書きの便利性を増している。しかし、市販されているメモリーカードの規格は多く、電気装置でメモリーカードのデータを読み取る場合、その規格に符合するアダプタが必要となり、アダプタのスロットにメモリーカードを挿入することにより、メモリーカードと電子回路の接続とデータ交換を構成する。
【０００３】
　一方、ノートブック型コンピュータ等の携帯型電気装置は、不断に機能が向上されるほか、軽量化の設計努力が重ねられて携帯、収納に便利な特性に符合することが期されている。電気装置にアダプタを内蔵して、電気装置が過多の空間を占用しないようにし、且つ放置されたアダプタが不必要な空間を占拠しないように、あるメーカーは非専用規格のメモリカードに対応するアダプタをビルトインしている。
【０００４】
　これにより、市場には異なる規格のメモリーカードに対して複数種類の規格のメモリーカードの読み書きを可能とするマルチカードリーダーが提供され、３Ｃ電気装置と非専用規格のメモリーカードを連結させる機能を高めている。しかし、市販のこのようなマルチカードリーダーの構造は、複数のアダプタを結合させた装置主体と見なされ、製造コストを下げることができず、組立が面倒で、且つ体積が大きく、ノートブック型コンピュータ、ＰＤＡ等の携帯型デジタル装置には適用されない。
【考案の開示】
【考案が解決しようとする課題】
【０００５】
　本考案は一種のファイブインワンメモリーカードアダプタを提供することを課題とし、それは、カートリッジに三つのスロットが設けられ、各スロット部分に各メモリカードの回路接点と対応し接続できる接触端子が固定され、接触端子の電気装置との電子回路の連結により、該電気装置に同時に三種類の異なる形式のメモリーカードの挿入が可能となり、また、三つのスロット中の第１スロットがＣＦ、ＭＤメモリーカードの挿入に供され、第２スロットが、ＳＤ、ＭＭＣメモリーカードの挿入に供され、第３スロットがＭＳ（登録商標）の挿入に供され、ゆえに電気装置を、少なくとも５種類のメモリーカードに対する読み書き可能とするものとする。
【０００６】
　そのうち、カートリッジのスロットの区分は、下層に位置する第１スロット、及び第１スロットの上方に並列設置された第２、第３スロットとされる。第１スロットは寸法が近いＣＦメモリーカード及びＭＤメモリーカードの共用とされ、そのスロットの内縁にＣＦメモリーカードとＭＤメモリーカードの幅、厚さに合わせてメモリーカードの誤挿入を防止するための溝部が設けられている。また、第２スロットは寸法が近いＳＤメモリーカードとＭＭＣメモリーカードの共用とされ、そのスロットの内縁にＳＤメモリーカードとＭＭＣメモリーカードの幅、厚さに合わせてメモリーカードの誤挿入を防止するための溝部が設けられている。また、第３スロットは寸法が近いＭＳ（登録商標）メモリーカードに符合するスロット形態とされる。
【課題を解決するための手段】
【０００７】
　請求項１の考案は、プラスチック製のカートリッジを主体とし、該カートリッジに下層に位置する第１スロットと、該第１スロットの上方に平行に設置された第２スロット及び第３スロットを具え、
　該第１スロットが寸法規格のほぼ同じ第１及び第２の種類のメモリーカードの共用とされ、そのスロットの内縁に第１及び第２の種類のメモリーカードの長さと幅及び厚さに合わせてメモリーカードの誤挿入を防止するための溝部が設けられ、
　該第２スロットが第１及び第２の種類のメモリーカードと寸法規格の異なる第３及び第４の種類のメモリーカードの共用とされ、そのスロットの内縁に第３及び第４の種類のメモリーカードの長さと幅及び厚さに合わせてメモリーカードの誤挿入を防止するための溝部が設けられ、
　該第３スロットが第１、第２及び第３、第４の種類のメモリーカードと寸法規格の異なる第５のメモリーカードの挿入に供され、
　各スロットにメモリーカードの回路設定に対応し接続可能な接触端子が設けられ、各接触端子がカートリッジの底側及び後側に向けて延伸され、接触端子と電気装置の電子回路の接続により、電気装置が少なくとも５種類のメモリーカードに対して読み書きが行なえると共に、三種類の異なる規格のメモリーカードの挿入可能とされたことを特徴とする、ファイブインワンメモリーカードアダプタとしている。
　請求項２の考案は、請求項１記載のファイブインワンメモリーカードアダプタにおいて、カートリッジの上方を金属カバーが被覆し、該金属カバーに接地手段が電子回路が組み合わされて接地が形成されることを特徴とする、ファイブインワンメモリーカードアダプタとしている。
　請求項３の考案は、請求項１記載のファイブインワンメモリーカードアダプタにおいて、カートリッジの側辺、上側にメモリーカードに対する位置決めと接続を形成する接触弾性片が設けられたことを特徴とする、ファイブインワンメモリーカードアダプタとしている。
【考案の効果】
【０００８】
　本考案のファイブインワンメモリーカードアダプタは、カートリッジに三つのスロットが設けられ、各スロット部分に各メモリカードの回路接点と対応し接続できる接触端子が固定され、接触端子の電気装置との電子回路の連結により、該電気装置に同時に三種類の異なる形式のメモリーカードの挿入が可能となり、また、三つのスロット中の第１スロットがＣＦ、ＭＤメモリーカードの挿入に供され、第２スロットが、ＳＤ、ＭＭＣメモリーカードの挿入に供され、第３スロットがＭＳ（登録商標）の挿入に供され、ゆえに電気装置を、少なくとも５種類のメモリーカードに対する読み書き可能とする。
【考案を実施するための最良の形態】
【０００９】
　本考案のファイブインワンメモリーカードアダプタは、その全体のアダプタの構造組成が図１及び図２に示されるようであり、それは、プラスチック材料で製造されたカートリッジ１０を主体とし、カートリッジ１０の前端にＣＦ、ＭＤ、ＭＭＣ、ＭＳ（登録商標）、及びＳＤメモリーカード規格に符合するスロットが設けられ、図示される実施例では、全体のカートリッジ１０に三つのスロットが設けられ、これら三つのスロットは下層に位置する第１スロット１１、該第１スロット１１の上方にあって第１スロット１１と平行に設置された第２スロット１２及び第３スロット１３に区分される。
【００１０】
　そのうち、第１スロット１１は、ＣＦメモリーカード及びＭＤメモリーカードの共用とされ、そのスロットの内縁にＣＦメモリーカード４１とＭＤメモリーカード（図示せず）の幅、厚さに合わせてメモリーカードの誤挿入を防止するための溝部１４が設けられている。また、第２スロット１２は寸法が近いが長さにやや違いがあるＳＤメモリーカード４２とＭＭＣメモリーカード（図示せず）の共用とされ、そのスロットの内縁にＳＤメモリーカード４２とＭＭＣメモリーカードの幅、厚さに合わせてメモリーカードの誤挿入を防止するための溝部１４が設けられている。また、第３スロット１３は寸法が近いＭＳ（登録商標）メモリーカード４３規格に符合するスロット形態とされる。このような全体のアダプタのスロット配置によりスロット配置空間が縮減されて最もコンパクトな配置状態とされ、電気装置の過多の空間を占拠しないものとされる。
【００１１】
　また、図２、３に示されるように、カートリッジ１０の第１スロット１１、第２スロット１２、第３スロット１３には各メモリーカードの電気回路接点と相互に接続できる接触端子２０が設けられ、各接触端子２０はカートリッジ１０の底側及び後側に向けて延伸され、接触端子２０と電気装置の電子回路５０のハンダ付け接続により、電気装置が少なくとも上述のＣＦ、ＭＤ、ＭＭＣ、ＭＳ（登録商標）、及びＳＤメモリーカードに対して読み書き可能とされ、大幅に電気装置とメモリーカードの接続使用の便利性と適用性を増すことができる。
【００１２】
　特に、全体のアダプタは電気装置の電子回路５０と接続された各接触端子２０を具えた第１スロット１１、第２スロット１２、第３スロット１３を具え、ゆえに、第１スロット１１、第２スロット１２、第３スロット１３は三つの独立運転可能なアダプタと見なすことができ、これにより電気装置より三つのカートリッジ式データ保存ハードウエアを延伸設置できるが、一つのアダプタ分の空間しか占有せず、電子回路のＩＣと組み合わせて第１スロット１１、第２スロット１２、第３スロット１３に挿入されたメモリーカードに対する読み書きが同時に行なえ、或いは、第１スロット１１、第２スロット１２、第３スロット１３に挿入されたメモリーカード間のデータ交換及び保存が行なえる。
【００１３】
　例えば、本考案の全体のアダプタが取り付けられる電気装置がノートブック型コンピュータであり、且つ第１スロット１１にＣＦメモリーカードが挿入され、第２スロット１２にＳＤメモリーカードが挿入され、第３スロット１３にＭＳ（登録商標）メモリーカードが挿入される時、該ノートブック型コンピュータが挿入されたＣＦメモリーカード、ＳＤメモリーカード、ＭＳ（登録商標）メモリーカードにデータ交換、読み書きが行なえ、或いはＣＦメモリーカード、ＳＤメモリーカード、ＭＳ（登録商標）メモリーカードの間のデータの相互交換と保存を行なえる。
【００１４】
　さらに、全体アダプタは別にカートリッジ１０の上方が金属カバー３０で被覆され、該金属カバー３０は接地手段３２と電子回路５０と組み合わされて接地効果を形成し、且つ金属カバー３０にあってカートリッジ１０の側辺、上側に対応する位置に、接触弾性片３１が設けられ、該接触弾性片３１によりメモリーカードに対する位置決めと接続作用を形成し、これによりメモリーカードと電子回路が接続され運転する時に、金属カバー３０の接地作用により電磁波防止のシールド作用を達成する。
【００１５】
　上述の本考案のファイブインワンメモリーカードアダプタは、３Ｃ電気装置に実行可能なアダプタ構造を提供し、実用性、進歩性、新規性及び産業上の利用価値を有している。なお、以上の実施例は本考案の実施範囲を限定するものではなく、本考案に基づきなしうる細部の修飾或いは改変は、いずれも本考案の請求範囲に属するものとする。
【図面の簡単な説明】
【００１６】
【図１】本考案の全体のアダプタの斜視図とアダプタとメモリーカードの間の接続状態表示図である。
【図２】本考案のアダプタ構造分解図である。
【図３】本考案中、アダプタの接触端子の配置状態の表示図である。
【符号の説明】
【００１７】
１０　カートリッジ　　　　　　３１　接触弾性片
１１　第１スロット　　　　　　３２　接地手段
１２　第２スロット　　　　　　４１　ＣＦメモリーカード
１３　第３スロット　　　　　　４２　ＳＤメモリーカード
１４　溝部　　　　　　　　　　４３　ＭＳ（登録商標）メモリーカード
２０　接触端子　　　　　　　　５０　電子回路
３０　金属カバー
【図１】
0003100313.tif 000003
【図２】
0003100313.tif 000004
【図３】
0003100313.tif 000005